(57)【特許請求の範囲】
【請求項１】
記録材に画像を形成する画像形成部と、
前記画像形成部によって画像が形成された記録材に対して進退することで当該記録材に孔を形成する穿孔刃を有し、当該記録材の搬送方向と交差する移動方向に移動可能に設けられる穿孔部と、
駆動源からの動力を受けて前記穿孔部の前記移動方向に沿って移動し、当該移動の動作を記録材に対して前記穿孔刃を進退させる動作に変換する動作変換部と、
前記穿孔部とは別体に保持されるとともに、記録材に対して前記穿孔刃を進退させるために前記動作変換部を前記移動方向に沿って移動させる第１駆動部と、
前記動作変換部は移動させずに、前記穿孔部を前記移動方向に移動させる第２駆動部とを備え、
前記動作変換部は、前記第１駆動部による駆動に伴い前記穿孔刃の位置を案内して当該穿孔刃を記録材に向けて進退させるとともに、前記第２駆動部によって前記穿孔部を前記移動方向に移動させる際に、当該穿孔刃を記録材から退避させておく退避領域を有する案内部を備えることを特徴とする画像形成装置。
【請求項２】
前記案内部は溝であり、
前記穿孔刃の凸部が前記溝に嵌め込まれて、前記動作変換部により当該穿孔刃が案内されることを特徴とする請求項１に記載の画像形成装置。
【請求項３】
前記案内部の前記退避領域を形成する溝は、前記穿孔部の前記移動方向に沿って形成されるとともに、当該穿孔部の移動可能な距離以上の長さを有することを特徴とする請求項２に記載の画像形成装置。
【請求項４】
記録材に対して進退することで当該記録材に孔を形成する穿孔刃を有するとともに、一の方向に移動可能に設けられる穿孔部と、
前記穿孔部とは別体に保持される第１の駆動源から駆動を受けて前記一の方向に沿って移動し、当該移動の動作を記録材に対して前記穿孔刃を進退させる動作に変換する動作変換部と、
前記穿孔部に設けられ、前記動作変換部は移動させずに当該穿孔部を前記一の方向に移動させる第２の駆動源からの駆動の伝達を受ける受け部と、
を備え、
前記動作変換部は、前記第１の駆動源による駆動に伴い前記穿孔刃の位置を案内して当該穿孔刃を記録材に向けて進退させるとともに、前記第２の駆動源によって前記穿孔部を前記一の方向に移動させる際に、当該穿孔刃を記録材から退避させておく退避領域を有する案内部を備えることを特徴とする記録材処理装置。
【請求項５】
前記案内部は溝であり、
前記穿孔刃の凸部が前記溝に嵌め込まれて、前記動作変換部により当該穿孔刃が案内されることを特徴とする請求項４に記載の記録材処理装置。
【請求項６】
前記案内部の前記退避領域を形成する溝は、前記一の方向に沿って形成されるとともに、前記穿孔部の当該一の方向における移動可能な距離以上の長さを有することを特徴とする請求項５に記載の記録材処理装置。
【発明の詳細な説明】
【技術分野】
【０００１】
本発明は、画像形成装置及び記録材処理装置に関する。
【背景技術】
【０００２】
記録材に例えばファイリング用の孔開け（穿孔）を行う装置が提案されている。公報記載の従来技術として、用紙を搬送方向に搬送し用紙に穿孔する用紙後処理装置において、用紙に穿孔する穿孔手段と、穿孔手段を載置し搬送方向と直交する方向の用紙の所定位置に穿孔手段を移動する移動手段と、穿孔手段の作動時の影響による移動手段の位置ずれを補正して穿孔するよう制御する制御手段とを備えた用紙後処理装置が知られている（例えば特許文献１参照）。
【先行技術文献】
【特許文献】
【０００３】
【特許文献１】特開２００６−１４２４４４号公報
【発明の概要】
【発明が解決しようとする課題】
【０００４】
本発明は、記録材に穿孔を施す記録材処理装置等における動作音や振動の発生などを抑制することを目的とする。
【課題を解決するための手段】
【０００５】
請求項１に記載の発明は、記録材に画像を形成する画像形成部と、前記画像形成部によって画像が形成された記録材に対して進退することで当該記録材に孔を形成する穿孔刃を有し、当該記録材の搬送方向と交差する移動方向に移動可能に設けられる穿孔部と、駆動源からの動力を受けて前記穿孔部の前記移動方向に沿って移動し、当該移動の動作を記録材に対して前記穿孔刃を進退させる動作に変換する動作変換部と、前記穿孔部とは別体に保持されるとともに、記録材に対して前記穿孔刃を進退させるために前記動作変換部を前記移動方向に沿って移動させる第１駆動部と、前記動作変換部は移動させずに、前記穿孔部を記録材の前記移動方向に移動させる第２駆動部とを備え、前記動作変換部は、前記第１駆動部による駆動に伴い前記穿孔刃の位置を案内して当該穿孔刃を記録材に向けて進退させるとともに、前記第２駆動部によって前記穿孔部を前記移動方向に移動させる際に、当該穿孔刃を記録材から退避させておく退避領域を有する案内部を備えることを特徴とする画像形成装置である。
【０００６】
請求項２に記載の発明は、前記案内部は溝であり、前記穿孔刃の凸部が前記溝に嵌め込まれて、前記動作変換部により当該穿孔刃が案内されることを特徴とする請求項１に記載の画像形成装置である。
請求項３に記載の発明は、前記案内部の前記退避領域を形成する溝は、前記穿孔部の前記移動方向に沿って形成されるとともに、当該穿孔部の移動可能な距離以上の長さを有することを特徴とする請求項２に記載の画像形成装置である。
【０００７】
請求項４に記載の発明は、記録材に対して進退することで当該記録材に孔を形成する穿孔刃を有するとともに、一の方向に移動可能に設けられる穿孔部と、前記穿孔部とは別体に保持される第１の駆動源から駆動を受けて前記一の方向に沿って移動し、当該移動の動作を記録材に対して前記穿孔刃を進退させる動作に変換する動作変換部と、前記穿孔部に設けられ、前記動作変換部は移動させずに当該穿孔部を前記一の方向に移動させる第２の駆動源からの駆動の伝達を受ける受け部と、を備え、前記動作変換部は、前記第１の駆動源による駆動に伴い前記穿孔刃の位置を案内して当該穿孔刃を記録材に向けて進退させるとともに、前記第２の駆動源によって前記穿孔部を前記一の方向に移動させる際に、当該穿孔刃を記録材から退避させておく退避領域を有する案内部を備えることを特徴とする記録材処理装置である。
【０００８】
請求項５に記載の発明は、前記案内部は溝であり、前記穿孔刃の凸部が前記溝に嵌め込まれて、前記動作変換部により当該穿孔刃が案内されることを特徴とする請求項４に記載の記録材処理装置である。
請求項６に記載の発明は、前記案内部の前記退避領域を形成する溝は、前記一の方向に沿って形成されるとともに、前記穿孔部の当該一の方向における移動可能な距離以上の長さを有することを特徴とする請求項５に記載の記録材処理装置である。
【発明の効果】
【０００９】
請求項１の発明によれば、穿孔部と穿孔部を移動させる第２駆動部とを一体に構成した場合と比較して、画像形成装置の記録材処理装置における動作音や振動の発生を抑制することが可能となり、また、第２駆動部と穿孔部とを別体に構成し、穿孔部の移動方向が動作変換部の移動方向に沿う構成を採用した場合であっても、意図しない穿孔動作の発生を防止することができる。
請求項２の発明によれば、本発明の構成を採用しない場合と比較して、より簡易な構成により穿孔部の移動に伴う穿孔動作の発生を抑制することが可能となる。
請求項３の発明によれば、本発明の構成を採用しない場合と比較して、より簡易な構成によって意図しない穿孔動作の発生を防止することができる。
【００１０】
請求項４の発明によれば、本発明の構成を採用しない場合と比較して、記録材処理装置における動作音や振動の発生を抑制することが可能となり、穿孔部の移動方向が動作変換部の移動方向に沿う構成を採用した場合であっても、穿孔部の移動に伴う穿孔動作の発生を抑制することが可能となる。
請求項５の発明によれば、本発明の構成を採用しない場合と比較して、より簡易な構成により穿孔部の移動に伴う穿孔動作の発生を抑制することが可能となる。
請求項６の発明によれば、本発明の構成を採用しない場合と比較して、より簡易な構成によって意図しない穿孔動作の発生を防止することができる。
【図面の簡単な説明】
【００１１】
【図１】本発明の実施の形態に係る画像形成装置の概略構成を示した図である。
【図２】穿孔処理装置の全体構成を説明するための図である。
【図３】穿孔部及び操作部を説明するための図である。
【図４】直進カムの全体構成を説明するための図である。
【図５】直進カムの案内部及び下側搬送路の受け刃を説明するための図である。
【図６】穿孔処理装置の穿孔動作を説明するための図である。
【図７】穿孔処理装置の他の例を説明するための図である。
【発明を実施するための形態】
【００１２】
以下、添付図面を参照して、本発明の実施形態について詳細に説明する。
図１は、本発明の実施形態に係る画像形成装置の概略構成を示した図である。
画像形成装置１は、記録材の一例としての用紙に画像を形成する画像形成部２と、画像形成部２によって画像が形成された用紙に対して後処理を施す用紙処理部３とを備えている。また、画像形成装置１は、画像形成部２及び用紙処理部３の各部位の動作を総括的に管理制御する制御装置２２を備えている。
【００１３】
画像形成部２は、例えば電子写真方式によってカラー画像を形成するプリンタや複写機であることを例示することができ、使用者によって操作される操作パネル２１を有している。操作パネル２１は、例えばタッチパネル式のディスプレイであり、操作メニューを表示して、使用者から処理要求等の操作指示を受け付けたり、ユーザに対する選択情報や装置の動作状況等を表示したりする。
【００１４】
用紙処理部３は、画像形成部２によって画像が形成された用紙を受け取る一対のローラである受け取りローラ６１と、受け取りローラ６１にて受け取られた用紙が搬送される用紙搬送路６２とを有している。また、用紙処理部３は、用紙搬送路６２を搬送される用紙に対して孔を形成する穿孔処理装置３０を有している。
そして、用紙搬送路６２において、穿孔処理装置３０の用紙搬送方向（矢印Ｘ）下流側には、搬送方向と直交（８０度から１００度の角度で交差）する方向（以下、幅方向と呼ぶ）における用紙の位置を検知する用紙位置検知センサ３６が設けられている。用紙位置検知センサ３６には、例えば幅方向に発光素子及び受光素子を複数並べて配置した構成を用いることができる。この構成の場合、発光素子からの光がどの受光素子から受光できなくなったか(遮断されたか)に基づいて、幅方向における用紙の位置を検知する。
さらに、用紙処理部３は、用紙に穿孔を行う際に、搬送方向上流側に用紙を押し戻すことで、用紙の後端側を穿孔処理装置３０へと導き入れる導入ロール６３を有している。
なお、本実施形態において、幅方向が「一の方向」に対応する。
【００１５】
そして、用紙処理部３は、用紙を複数枚集めて収容するコンパイルトレイ６７と、コンパイルトレイ６７に向けて用紙を排出するローラ対であるイクジットローラ対６８とを備えている。
【００１６】
用紙処理部３は、用紙の後端をコンパイルトレイ６７のエンドガイド６７ａに向けて押し込むために回転する複数のパドル６９と、用紙束を綴じるためのステープラ７０とを備えている。さらに、コンパイルトレイ６７にて集積された用紙束をスタッカトレイ７２へ搬送するイジェクトローラ７１を備えている。
【００１７】
図２は、穿孔処理装置３０の全体構成を説明するための図である。
図２に示すように、記録材処理装置の一例としての穿孔処理装置３０は、後述の穿孔刃４２を用いて、画像が形成された用紙に穿孔を行うものである。
穿孔処理装置３０の下側には、下側搬送路３４が設けられている。また、穿孔処理装置３０と下側搬送路３４との間には、用紙が通過できる程度の隙間（以下、用紙導入口３５と呼ぶ。）が空けられている。そして、穿孔処理装置３０へと搬送されてきた用紙は、用紙導入口３５へと導き入れられ穿孔が施される。また、下側搬送路３４には、後述する穿孔刃４２に対する受け刃３４１（ダイス）となる貫通孔が形成されている。
【００１８】
また、図２に示すように、筐体部材３１に固定される保持板３２には、第２駆動部及び第２の駆動源の一例としての穿孔部駆動モータＭ２が取り付けられている。穿孔部駆動モータＭ２は、後述する穿孔部４０を幅方向（用紙搬送方向と直交する方向）に移動させるための駆動源である。なお、本実施形態の穿孔部駆動モータＭ２には、例えばＤＣモータやパルスモータなどを用いることができる。
さらに、下側搬送路３４には、第１駆動部及び第１の駆動源の一例としての穿孔刃駆動モータＭ１が取り付けられている。穿孔刃駆動モータＭ１は、後述する直進カム５２を移動させるための駆動源である。なお、本実施形態の穿孔刃駆動モータＭ１には、例えばＤＣモータやパルスモータなどを用いることができる。
【００１９】
図３は、穿孔部４０及び操作部５０を説明するための図である。
穿孔処理装置３０は、図３に示すように、穿孔部４０と操作部５０とを備えている。穿孔部４０は、後述の穿孔刃４２を有し用紙に孔を形成するものである。一方、操作部５０は、穿孔刃４２を操作することで、穿孔刃４２を用紙に対して進退させるものである。
【００２０】
穿孔部４０は、穿孔刃４２と、穿孔刃４２を保持する穿孔刃ホルダ４１とを備えている。
穿孔刃４２は、先端側に刃が設けられた棒状の部材である。そして、穿孔刃４２は、画像が形成されて用紙導入口３５（図２参照）へと搬送されてきた用紙に対して進退することで、先端に設けられた刃によって用紙に孔を形成する。また、図３に示すように、本実施形態の穿孔部４０には２本の穿孔刃４２が設けられており、幅方向に予め定められた距離を隔てて配置されている。なお、穿孔部４０に設ける穿孔刃４２の数は、用紙に形成しようとする穿孔の数などに応じて決めればよく、例えば１本、３本あるいはそれ以上であっても構わない。
【００２１】
穿孔刃ホルダ４１は、図３に示すように、上板４１ａ、上板４１ａと対向する下板４１ｃ、及び上板４１ａと下板４１ｃとの間に設けられて両者を固定する側板４１ｂを備えて構成され、その外形がコの字形状を有するものである。そして、穿孔刃ホルダ４１は、上板４１ａ及び下板４１ｃによって穿孔刃４２を保持している。具体的には、上板４１ａ、下板４１ｃにそれぞれ穿孔刃４２と同程度の径を有する開口が形成されている。穿孔刃４２は、上板４１ａに形成される開口と、下板４１ｃに形成される開口を通されて穿孔刃ホルダ４１に保持される。穿孔刃４２は、上記のように保持されているため、用紙導入口３５（図２参照）にセットされた用紙に対して進退する方向にスライド可能となっている。
【００２２】
また、本実施形態の穿孔刃ホルダ４１の幅方向の長さは、穿孔部４０に設けられる穿孔刃４２（本実施形態では２本の穿孔刃４２）の間隔を大きく越えない程度に設定されている。つまり、本実施形態では、穿孔刃ホルダ４１の幅方向における幅について、設けられる穿孔刃４２を保持できる長さを保ちつつ、できる限り短くするように構成している。これは、後述するように幅方向に移動可能に構成された穿孔部４０の軽量化を図るためである。なお、例えば穿孔部４０に２本以上の穿孔刃４２を設ける場合には、穿孔刃ホルダ４１の幅方向の長さは、幅方向の両端に配置される穿孔刃４２の間隔を大きく超えない程度に設定すれば良い。
【００２３】
穿孔刃ホルダ４１の上板４１ａには、被保持部材４４が設けられている。被保持部材４４には、例えば滑車などを用いることができる。そして、被保持部材４４は、保持板３２に幅方向に延びて設けられるレール部材（不図示）に掛けられる。このように、本実施形態の穿孔部４０は、保持板３２に吊り下げられ、幅方向に移動可能となっている。
なお、穿孔部４０が幅方向に移動可能に構成されていれば良く、レール部材と滑車とによる構成に限定されるものではない。例えば、被保持部材４４には、滑車に代えてレール部材との間の摩擦が低い部材を用いても構わない。また、保持板３２上にて幅方向に移動する移動部に穿孔刃ホルダ４１を連結させて、穿孔部４０を幅方向に移動可能に構成しても構わない。
【００２４】
また、図３に示すように、穿孔刃ホルダ４１には、受け部の一例としてのラックギア４１Ｒが設けられている。本実施形態では、ラックギア４１Ｒは、穿孔刃ホルダ４１における側板４１ｂに取り付けている。さらに、ラックギア４１Ｒには、穿孔部駆動モータＭ２のギアＧ４が接続される。そして、穿孔部駆動モータＭ２を駆動させると、穿孔刃ホルダ４１、及び穿孔刃ホルダ４１に保持されている穿孔刃４２が幅方向に移動する。
なお、ラックギア４１Ｒは、穿孔部４０を幅方向に移動させることができれば、穿孔刃ホルダ４１のどの位置に取り付けられていても構わない。また、穿孔部駆動モータＭ２のギアＧ４と噛み合う歯を側板４１ｂ等に直接形成しても良い。
【００２５】
用紙導入口３５へと搬送されてきた用紙の位置は常に一定とは限らない。一方で、用紙上に形成する穿孔の位置は予め定められている。そこで、上記の通り、穿孔部４０を幅方向に移動可能に構成している。そして、穿孔部４０を幅方向に移動させることで、用紙において孔を形成したい位置に穿孔刃４２を移動させて位置合わせを行うようにしている。
実際の穿孔部４０の移動に際しては、上述の用紙位置検知センサ３６を用いて、用紙導入口３５へと搬送されてきた用紙の幅方向の位置を検知する。そして、予め定められた用紙上に形成すべき穿孔の位置と、用紙位置検知センサ３６によって得られた用紙の位置とに基づき、穿孔部４０を停止させる位置、つまり穿孔部４０を移動させる距離を決定している。
【００２６】
操作部５０は、動作変換部の一例としての直進カム５２（図２参照）と、直進カム５２を保持するとともに直進カム５２の移動を案内する直進カムホルダ５１とを備えている。
直進カム５２は、直線的（本実施形態では幅方向に沿う方向）に移動することで、後述する案内部５３によって、穿孔刃４２を用紙に対して進退させるものである。なお、案内部５３については、後述する図４を参照しながら詳細に説明する。また、直進カム５２の端部には、ラックギア５２Ｒが設けられている。直進カム５２は、このラックギア５２Ｒを介して、穿孔刃駆動モータＭ１から動力を受けることで幅方向に移動するようになっている。
【００２７】
直進カムホルダ５１は、直進カム５２を保持するとともに、直進カム５２を直線的に運動させるために案内するものである。また、図３に示すように、直進カムホルダ５１は、第１カムホルダ５１１及び第２カムホルダ５１２を有している。第１カムホルダ５１１と第２カムホルダ５１２とは、穿孔部４０を挟んで穿孔部４０の両側にそれぞれ設けられる。そして、図３に示すように、直進カム５２を幅方向に沿って保持するために、第１カムホルダ５１１、穿孔部４０の穿孔刃ホルダ４１、第２カムホルダ５１２の順に幅方向に沿って並べて配置している。
【００２８】
直進カムホルダ５１（第１カムホルダ５１１、第２カムホルダ５１２）は、上板５１ａ、上板５１ａと対向する下板５１ｃ、及び上板５１ａと下板５１ｃとの間に設けられて両者を固定する側板５１ｂを備えて構成され、その外形がコの字形状を有するものである。そして、直進カムホルダ５１は、上板５１ａと下板５１ｃとによって直進カム５２をスライド可能な状態で挟み込んで直進カム５２を案内する。また、直進カムホルダ５１は、保持板３２に固定されている。
【００２９】
以上のように構成される穿孔処理装置３０において、直進カム５２は、それぞれコの字形状を有する第１カムホルダ５１１、穿孔刃ホルダ４１、及び第２カムホルダ５１２の内側に設けられる。そして、直進カム５２は、穿孔刃ホルダ４１を跨いで、第１カムホルダ５１１と第２カムホルダ５１２とによってスライド可能に保持される。このように、直進カムホルダ５１が穿孔部４０の両端にて直進カム５２を案内することで、直進カム５２の幅方向における移動を安定させている。
また、直進カム５２は、穿孔部４０において穿孔刃４２と接続される。
【００３０】
図４は、直進カム５２の全体構成を説明するための図である。
図４（ａ）に示すように、直進カム５２は案内部５３を備えている。案内部５３は、直進カム５２を構成する基材に形成された溝である。案内部５３を構成する溝は、用紙が置かれる側に向けて凸となるように屈曲している。そして、図４（ａ）に示すように、案内部５３は、穿孔刃４２を用紙から退避させておく際に用いる退避領域５３ａと、穿孔刃４２を用紙に対して進退させる際に用いる穿孔領域５３ｂとを有する。また、退避領域５３ａは、穿孔領域５３ｂを挟んで穿孔領域５３ｂの両側に形成される。このように構成される案内部５３の溝に穿孔刃４２の突起４３（凸部）が嵌め込まれる。
【００３１】
図４（ａ）に示すように、案内部５３における退避領域５３ａに突起４３が位置している状態では、穿孔刃４２は用紙に対して退避した状態を保つ。
そして、図４（ｂ）に示すように、直進カム５２を例えば矢印Ａ方向に移動させると、突起４３の位置は、退避領域５３ａから穿孔領域５３ｂへと移行する。そうすると、穿孔刃４２は、案内部５３によって案内され、矢印Ｂ方向に向けて移動（下降）した後、矢印Ｂ方向とは逆に移動（上昇）する。その後、直進カム５２を矢印Ａ方向にさらに移動させることで、突起４３が退避領域５３ａに位置する状態となり、穿孔刃４２は再び用紙に対して退避した状態となる。
【００３２】
以上のようにして、直進カム５２を直線的に移動させるという一連の動作により、直進カム５２の案内部５３によって穿孔刃４２が案内され、穿孔刃４２の用紙導入口３５に対する進退動作が実現される。そして、用紙導入口３５に用紙がある場合には、この穿孔刃４２の進退動作によって用紙に孔が形成される。
【００３３】
なお、穿孔刃４２が用紙を貫通した後に直進カム５２の移動方向を逆転させて穿孔刃４２を用紙から退避させても良い。即ち、直進カム５２の幅方向における往復動作によって、穿孔刃４２を用紙に対して進退させても良い。このように直進カム５２を動作させる場合、案内部５３は、図４（ａ）に示す対称形の案内部５３の片側のみ（半分）で構成しても構わない。
【００３４】
以上のように構成される穿孔処理装置３０において、穿孔部４０と穿孔刃駆動モータＭ１とを別体に構成され、各々独立して保持されている（図２参照）。このように構成することで、穿孔部４０を幅方向に移動させる際に、穿孔刃駆動モータＭ１は移動せずに穿孔部４０のみが移動する。これにより、本実施形態では、穿孔刃４２と用紙との位置合わせの際に移動する部材の重量を軽くし、動作音や振動の発生、さらには移動に要する電力の低減を図っている。
【００３５】
図５は、直進カム５２の案内部５３及び下側搬送路３４の受け刃３４１を説明するための図である。
本実施形態の穿孔処理装置３０においては、用紙に対する穿孔刃４２（穿孔部４０）の位置合わせを行い、その後に穿孔刃４２を用紙に対して進退させる。つまり、位置合わせのために穿孔部４０を幅方向に移動させている際に、直進カム５２を駆動する穿孔刃駆動モータＭ１は停止している。
そして、上述した図３に示すように、直進カム５２のラックギア５２Ｒが穿孔刃駆動モータＭ１のギアＧ５に噛み合っている。そうすると、穿孔部４０を幅方向に移動させる際において、直進カム５２のラックギア５２Ｒが穿孔刃駆動モータＭ１のギアＧ５に引っ掛かる。つまり、直進カム５２は、ギアＧ５の抵抗を受けて移動し難くなっている。特に、本実施形態のように、停止した状態において回転軸を回そうとすると抵抗の大きいＤＣモータやパルスモータ等を用いた場合、穿孔刃駆動モータＭ１が停止していると、直進カム５２は特に動きにくくなる。
【００３６】
そうすると、穿孔刃４２と用紙との幅方向における位置合わせを行うために、穿孔部４０を幅方向に移動させた際に、穿孔刃４２と直進カム５２との相対的な位置が変化することとなる。そして、例えば穿孔刃４２の突起４３の位置が、直進カム５２の案内部５３における穿孔領域５３ｂに移行すると、穿孔刃４２の進退動作が生じることとなる。このとき、用紙導入口３５に用紙がある場合には、用紙に穿孔が施されるおそれがある。
そこで、本実施形態では、穿孔部４０の幅方向の移動により穿孔刃４２の穿孔動作が生じないように、直進カム５２に設けられる案内部５３の形状を特定している。
【００３７】
即ち、穿孔部４０を移動させる際に、穿孔刃４２の突起４３が案内部５３における退避領域５３ａに位置する状態を維持するようにしている。このために、図５（ａ）に示すように、案内部５３では、退避領域５３ａの幅方向における長さＬ１を、穿孔部４０の幅方向における移動距離以上に設定している。こうすることで、位置合わせのために穿孔部４０が幅方向に移動した場合であっても、穿孔刃４２の突起４３の位置が退避領域５３ａから外れて穿孔領域５３ｂへと移行しないようにしている。
【００３８】
また、穿孔部４０を移動させることで、穿孔刃４２と下側搬送路３４に形成される受け刃３４１との相対的な位置も変化する。そこで、本実施形態では、受け刃３４１の形状を幅方向に長い長孔としている。受け刃３４１の幅方向における長さＬ２は、図５（ｂ）に示すように、穿孔部４０の移動可能な距離以上に設定する。こうすることで、本実施形態では、位置合わせのために穿孔部４０を幅方向に移動させた場合であっても、穿孔刃４２と受け刃３４１とが噛み合うように構成している。
【００３９】
図６は、穿孔処理装置３０の穿孔動作を説明するための図である。
図６（ａ）は、用紙に穿孔を行う前の待機状態を示している。図６（ｂ）は、搬送されてくる用紙との位置合わせのために、穿孔部４０を移動させた状態を示している。図６（ｃ）は、用紙に穿孔を施している状態を示している。
【００４０】
穿孔部４０は、用紙を穿孔する前の状態においては、図５（ａ）に示すように、直進カム５２によって穿孔刃４２を用紙導入口３５から退避させ、搬送されてくる用紙に備えて用紙導入口３５を開放する。つまり、穿孔刃４２の突起４３が案内部５３における退避領域５３ａに位置した状態となっている。
【００４１】
そして、画像が形成された用紙を穿孔処理装置３０へと搬送し、用紙導入口３５に用紙の後端を導き入れた後、用紙の搬送を一端停止させる。次に、用紙位置検知センサ３６によって、用紙の幅方向における位置を検知する。検知結果に基づいて、用紙に対して穿孔刃４２の位置を調整する必要があれば、穿孔部駆動モータＭ２を駆動させて穿孔部４０本体を幅方向に移動させ、用紙と穿孔刃４２との位置合わせを行う。
【００４２】
このとき、穿孔刃駆動モータＭ１は、穿孔部４０とは別に保持されており移動しない。さらに、穿孔刃駆動モータＭ１が動かないことによって直進カム５２も移動しない。つまり、本実施形態において、穿孔刃４２の位置合わせを行う際に、実際に移動するのは、穿孔部４０（穿孔刃４２及び穿孔刃ホルダ４１）のみとなる。
【００４３】
従って、例えば穿孔刃駆動モータと穿孔部とを一体に構成した場合と比較して、本実施形態の穿孔処理装置３０は、位置合わせの際に実際に移動する部材の重量が軽くなる。これにより、穿孔部４０の幅方向における移動の際に発生する動作音や振動が抑制され、さらには穿孔刃４２を幅方向に移動させるために要する電力が低減される。
また、図５（ａ）を参照しながら説明したように、穿孔部４０の移動の際には、直進カム５２の案内部５３における退避領域５３ａに穿孔刃４２の突起４３が位置した状態を維持するように構成している。従って、穿孔部４０の移動に伴って、穿孔刃４２が穿孔動作を生じることはない。
【００４４】
続いて、幅方向における用紙と穿孔刃４２との位置合わせが完了すると、穿孔刃駆動モータＭ１を駆動する。すると、図６（ｃ）に示すように、直進カム５２が移動し、直進カム５２の案内部５３によって穿孔刃４２が案内される。そして、穿孔刃４２の突起４３に案内部５３の穿孔領域５３ｂが位置した状態になり、穿孔刃４２が用紙に対して進退して用紙に孔が形成される。
【００４５】
なお、下側搬送路３４において受け刃３４１が形成される領域の部分と、下側搬送路３４の他の部分と分離し、受け刃３４１が形成される領域の部分を幅方向に移動可能に構成しても良い。そして、穿孔刃４２と用紙との位置合わせの際に、受け刃３４１が形成される領域の部分を穿孔部４０に追随させて移動させる。即ち、受け刃３４１と穿孔刃４２との幅方向における相対的な位置が変わらないようする。このように構成した場合、受け刃３４１の形状を穿孔刃４２の断面に合わせることができるため、用紙に形成される孔の仕上がりがきれいになる。
【００４６】
図７は、穿孔処理装置の他の例を説明するための図である。
なお、以下の説明において、上述した実施形態と同様のものについては、同一の符号を付してその詳細な説明を省略する。
記録材処理装置の一例としての穿孔処理装置１３０は、図７（ａ）に示すように、穿孔部１４０及び操作部１５０を備えている。
穿孔部１４０は、穿孔刃４２、穿孔刃４２を保持する穿孔刃ホルダ４１、及び穿孔刃４２を後述の回転カム８１側に押し付ける圧縮バネ８２を有する。また、穿孔部１４０は、穿孔部駆動モータＭ２を用いて幅方向に移動できるように構成されている。
【００４７】
操作部１５０は、穿孔刃４２を駆動する回転カム８１、回転カム８１の回転軸となるカムシャフト８３、及びカムシャフト８３を回転可能に保持する軸受け５５を備えている。
回転カム８１は、幅方向に沿って設けられるカムシャフト８３に取り付けられる。回転カム８１は、回転中心から外周までの距離が長い部分と、短い部分とを有する断面が卵型形状をしたものである。また、回転カム８１は、上記の断面を有しながら軸方向（幅方向）に長く形成される。この回転カム８１の軸方向（幅方向）における長さＬ３は、穿孔部１４０の幅方向における移動可能な距離以上に設定されている。
【００４８】
カムシャフト８３は、軸受け５５に回転可能に保持される。軸受け５５は、保持板３２に固定されており、カムシャフト８３は幅方向に移動しない。また、図７（ａ）に示すように、カムシャフト８３と穿孔刃駆動モータＭ１とはギアを介して接続しており、カムシャフト８３は、穿孔刃駆動モータＭ１によって回転駆動される。
なお、穿孔処理装置１３０においては、回転カム８１及びカムシャフト８３が動作変換部として機能する。さらに、回転カム８１は、案内部としても機能する。また、穿孔処理装置１３０においては、回転カム８１における回転中心からの距離が短い外周部分が「退避領域」に相当する。
【００４９】
そして、図７（ｂ）に示すように、穿孔刃４２と用紙との位置合わせ行うために穿孔部１４０を移動させる際、穿孔部１４０とは別体に保持される穿孔刃駆動モータＭ１は移動しない。従って、穿孔処理装置１３０においても、用紙の穿孔刃４２との位置合わせの際に移動する部材の重量が軽くなり、移動の際に発生する動作音や振動などが抑制される。
【００５０】
また、カムシャフト８３（回転カム８１）は、軸受け５５に保持されているため、幅方向には移動しない。そうすると、穿孔刃４２と用紙との位置合わせを行うために穿孔部１４０を移動させると、穿孔刃４２と回転カム８１との相対的な位置関係が変化する。ここで、穿孔部１４０を幅方向に移動する際には、穿孔刃４２を用紙から退避させておくため、回転カム８１における回転中心からの距離が短い外周部分を穿孔刃４２に接触させた状態にしている。また、穿孔刃４２（穿孔部１４０）の移動方向と、回転カム８１が穿孔刃４２の穿孔動作を生じさせるために移動（回転）する動作の方向とは異なる。即ち、穿孔部１４０を幅方向に移動させても、カムシャフト８３（回転カム８１）が回転動作を生じない。従って、穿孔処理装置１３０において、穿孔部１４０を幅方向に移動させることに伴って穿孔動作が生じることはない。
さらに、上述のように、回転カム８１の幅方向の長さを穿孔部１４０の幅方向における移動可能な距離以上に設定している。そのため、穿孔部１４０を幅方向に移動させた場合であっても（図７（ｂ）参照）、穿孔刃４２が回転カム８１から外れることはない。
【００５１】
続いて、用紙に孔を形成する際には、穿孔刃駆動モータＭ１を駆動させてカムシャフト８３を回転させる。すると、カムシャフト８３に設けられる回転カム８１が回転する。このとき、図７（ｃ）に示すように、回転カム８１の回転軸から円周までの距離が長い部分が穿孔刃４２に接触すると、穿孔刃４２は押し下げられ用紙に向けて移動する。また、回転カム８１の回転軸から外周までの距離が短い部分が穿孔刃４２に接触すると、圧縮バネ８２によって穿孔刃４２が押し戻され、穿孔刃４２が用紙から退避する。以上のように、穿孔処理装置１３０において用紙に孔が形成される。
【符号の説明】
【００５２】
１…画像形成装置、２…画像形成部、３…用紙処理部、３０…穿孔処理装置、４０…穿孔部、４２…穿孔刃、５０…操作部、５２…直進カム、Ｍ１…穿孔刃駆動モータ、Ｍ２…穿孔部駆動モータ
【図１】
0005402299.tif 000002
【図２】
0005402299.tif 000003
【図３】
0005402299.tif 000004
【図４】
0005402299.tif 000005
【図５】
0005402299.tif 000006
【図６】
0005402299.tif 000007
【図７】
0005402299.tif 000008